(57)【特許請求の範囲】
【請求項１】
第１の階層で伝送された、第１の識別子が割り当てられた第１のストリームデータ、および少なくとも前記第１のストリームデータの前記第１の識別子を指定するセクションデータと、前記第１の階層とは階層の異なる第２の階層で伝送された、前記第１の識別子とサイマル放送の関係にある第２の識別子が割り当てられた第２のストリームデータと、を記憶する記憶部と、
前記第１のストリームデータにコンテンツが格納されているか否かを判別する受信状況検知部と、
前記受信状況検知部によって前記第１のストリームデータにコンテンツが格納されていないと判別された場合、前記第１の識別子が前記第２の識別子に置き換えられた前記セクションデータを前記記憶部に記憶させるＰＭＴ変換部と、
を備える録画装置。
【請求項２】
請求項１記載の録画装置であって、
デジタルテレビジョン放送波を受信する受信部と、
前記受信部により受信した、前記第１の階層で伝送された第１のデジタルテレビジョン放送波または前記第２の階層で伝送された第２のデジタルテレビジョン放送波を復調、及び復号してストリームデータを出力する復調復号部と、
前記復調復号部が出力した前記ストリームデータに含まれる、前記第１のストリームデータおよび前記セクションデータと、前記第２のストリームデータと、を前記記憶部に記憶させるデータ記憶部と、
を備える録画装置。
【請求項３】
請求項２記載の録画装置であって、
前記受信状況検知部は、前記受信部が受信する受信強度が閾値より小さい場合、前記第１のストリームデータにコンテンツが格納されていないと判別する、
録画装置。
【請求項４】
請求項２記載の録画装置であって、
前記受信状況検知部は、前記復調復号部によって前記第１のデジタルテレビジョン放送波を復号できない場合、前記第１のストリームデータにコンテンツが格納されていないと判別する、
録画装置。
【請求項５】
請求項１記載の録画装置であって、
他の電子機器との間で通信を行う通信部と、
前記通信部によって入力した、前記第１のストリームデータおよび前記セクションデータと、前記第２のストリームデータと、を前記記憶部に記憶させるデータ記憶部と、
を備える録画装置。
【請求項６】
請求項１、２または５のいずれか一項に記載の録画装置であって、
前記受信状況検知部は、前記第１のストリームデータに含まれる、前記コンテンツが当該第１のストリームデータに格納されているか否かを識別する情報に基づいて、前記第１のストリームデータにコンテンツが格納されているか否かを判別する、
録画装置。
【請求項７】
請求項１、２、または５のいずれか一項に記載の録画装置であって、
前記復調復号部により復号されたストリームデータを各種モノメディアデータに分離する多重化分離部と、
前記多重化分離部によって分離されたモノメディアデータをデコードするデコード部を備え、
前記受信状況検知部は、前記多重化分離部によって分離されたモノメディアデータを前記デコード部がデコードできない場合、前記第１のストリームデータにコンテンツが格納されていないと判別する、
録画装置。
【請求項８】
第１の階層で伝送された、第１の識別子が割り当てられた第１のストリームデータ、および少なくとも前記第１のストリームデータの前記第１の識別子を指定するセクションデータと、前記第１の階層とは階層の異なる第２の階層で伝送された、前記第１の識別子とサイマル放送の関係にある第２の識別子が割り当てられた第２のストリームデータと、を記憶し、
前記第１のストリームデータにコンテンツが格納されているか否かを判別し、
前記第１のストリームデータにコンテンツが格納されていないと判別された場合、前記第１の識別子が前記第２の識別子に置き換えられた前記セクションデータを記憶する、
録画方法。
【請求項９】
コンピュータに、請求項８記載の手順を実行させるためのプログラム。
【請求項１０】
第１の階層で伝送された第１のストリームデータに割り当てられる第１の識別子を、前記第１の階層とは階層の異なる第２の階層で伝送された第２のストリームデータに割り当てられる、前記第１の識別子とサイマル放送の関係にある第２の識別子に置き換え可能なセクションデータの構造。
【発明の詳細な説明】
【技術分野】
【０００１】
本発明は、デジタルテレビジョン放送を記録可能な録画装置に関する。
【背景技術】
【０００２】
日本の地上デジタルテレビジョン放送のチャンネル帯域幅には６ＭＨｚが割り当てられており、その６ＭＨｚを１４分割した周波数ブロックのうちの１３個の周波数ブロックが放送に用いられる。この地上デジタルテレビジョン放送において、各セグメントに搬送波の変調方式や誤り訂正の強さを変えることができる。変調方式や誤り訂正の強さの異なるセグメント単位で放送波を伝送することを階層伝送と呼ぶ。例えば、地上デジタルテレビジョン放送において、上記変調方式としてＱＰＳＫ、１６ＱＡＭ及び６４ＱＡＭが採用されている。ＱＰＳＫ、１６ＱＡＭ、６４ＱＡＭは、この記載順に情報レートが大きくなるが、一方で、伝送誤りに対する強さが弱くなる（つまり、６４ＱＡＭで変調された搬送波は、情報レートは最大であるが、一方で、伝送誤りに対する強さは最弱である。）。
【０００３】
上述の階層伝送を利用する場合、地上デジタルテレビジョン放送を受信する受信機の形態に応じて、放送に利用する階層が設定されている。例えば、１３個のセグメントのうちの情報レートが大きな変調方式を採用した１２個のセグメントによって、据え置き型の受信機に対してハイビジョン放送を放送し、伝送誤りに対する強さが強い変調方式を採用した残り１個のセグメントによって、移動型受信機に対して補完放送を放送する、などの階層の設定がある。以降、情報レートが大きな変調方式（伝送誤りに対する強さが弱い変調方式）が採用された階層のことを弱階層、情報レートが小さな変調方式（伝送誤りに対する強さが強い変調方式）が採用された階層のことを強階層と称する。
【０００４】
現在、強階層で放送される補完放送は、弱階層で放送されるハイビジョン放送と同一のコンテンツを放送している。このため、特許文献１には、これらの放送を受信可能な録画装置であって、ハイビジョン放送によって放送されるコンテンツの一部を受信することができなかった場合、その受信することができなかったコンテンツの一部を、補完放送によって放送されるコンテンツの同箇所によって補完して記録する録画装置について開示されている。
【特許文献１】特開２００６−２０１９７号公報
【発明の開示】
【発明が解決しようとする課題】
【０００５】
特許文献１には、地上デジタルテレビジョン放送においてＰＳＩ（Program Specfic Information：番組特定情報）とＳＩ（Service Information：サービス特定情報）で使用する記述子に階層伝送記述子を用い、弱階層で放送されるエレメンタリーストリームを受信状況が良い状態で受信した場合には、ＰＭＴ（Program Map Table）に記述されるべき階層伝送記述子を削除し、一方、弱階層で放送されるエレメンタリーストリームを受信状況が悪い状態で受信した場合には、ＰＭＴに階層伝送記述子を残す記録情報生成装置について、開示されている。特許文献１に開示されている情報再生装置は、弱階層で放送されたエレメンタリーストリームを再生時には、ＰＭＴを参照し、階層伝送記述子が削除されていれば、そのエレメンタリーストリームを再生し、一方、階層伝送記述子が残されていれば、その階層伝送記述子により特定される強階層で放送されたエレメンタリーストリームを再生する。
【０００６】
しかしながら、地上デジタルテレビジョン放送運用規定  技術資料  ARIB TR-B14 2.9版  第４編  ５．２には、地上デジタルテレビジョン放送において階層伝送記述子は使用しない旨の規定がある。
【０００７】
本発明は、上記事情に鑑みてなされたもので、地上デジタルテレビジョン放送において階層伝送記述子を用いることなく、弱階層で放送されるエレメンタリーストリームの欠損部分を強階層で放送されるエレメンタリーストリームによって補完することができる録画装置、録画方法、プログラム、及びデータ構造を提供することを目的とする。
【課題を解決するための手段】
【０００８】
本発明の録画装置は、第１の階層で伝送された、第１の識別子が割り当てられた第１のストリームデータ、および少なくとも前記第１のストリームデータの前記第１の識別子を指定するセクションデータと、前記第１の階層とは階層の異なる第２の階層で伝送された、前記第１の識別子とサイマル放送の関係にある第２の識別子が割り当てられた第２のストリームデータと、を記憶する記憶部と、前記第１のストリームデータにコンテンツが格納されているか否かを判別する受信状況検知部と、前記受信状況検知部によって前記第１のストリームデータにコンテンツが格納されていないと判別された場合、前記第１の識別子が前記第２の識別子に置き換えられた前記セクションデータを前記記憶部に記憶させるＰＭＴ変換部と、を備えるものである。
【０００９】
本発明の録画方法は、第１の階層で伝送された、第１の識別子が割り当てられた第１のストリームデータ、および少なくとも前記第１のストリームデータの前記第１の識別子を指定するセクションデータと、前記第１の階層とは階層の異なる第２の階層で伝送された、前記第１の識別子とサイマル放送の関係にある第２の識別子が割り当てられた第２のストリームデータと、を記憶し、前記第１のストリームデータにコンテンツが格納されているか否かを判別し、前記第１のストリームデータにコンテンツが格納されていないと判別された場合、前記第１の識別子が前記第２の識別子に置き換えられた前記セクションデータを記憶する、ものである。
【００１０】
本発明のプログラムは、コンピュータに、本発明の録画方法の手順を実行させるためのものである。
【００１１】
本発明のデータ構造は、第１の階層で伝送された第１のストリームデータに割り当てられる第１の識別子を、前記第１の階層とは階層の異なる第２の階層で伝送された第２のストリームデータに割り当てられる、前記第１の識別子とサイマル放送の関係にある第２の識別子に置き換え可能なセクションデータの構造である。
【００１２】
また、本発明の録画装置は、デジタルテレビジョン放送波を受信する受信部と、前記受信部により受信した、前記第１の階層で伝送された第１のデジタルテレビジョン放送波または前記第２の階層で伝送された第２のデジタルテレビジョン放送波を復調、及び復号してストリームデータを出力する復調復号部と、前記復調復号部が出力した前記ストリームデータに含まれる、前記第１のストリームデータおよび前記セクションデータと、前記第２のストリームデータと、を前記記憶部に記憶させるデータ記憶部と、を備えるものを含む。
【００１３】
また、本発明の録画装置は、前記受信状況検知部が、前記受信部が受信する受信強度が閾値より小さい場合、前記第１のストリームデータにコンテンツが格納されていないと判別する、ものを含む。
【００１４】
また、本発明の録画装置は、前記受信状況検知部が、前記復調復号部によって前記第１のデジタルテレビジョン放送波を復号できない場合、前記第１のストリームデータにコンテンツが格納されていないと判別する、ものを含む。
【００１５】
また、本発明の録画装置は、他の電子機器との間で通信を行う通信部と、前記通信部によって入力した、前記第１のストリームデータおよび前記セクションデータと、前記第２のストリームデータと、を前記記憶部に記憶させるデータ記憶部と、を備えるものを含む。
【００１６】
また、本発明の録画装置は、前記受信状況検知部が、前記第１のストリームデータに含まれる、前記コンテンツが当該第１のストリームデータに格納されているか否かを識別する情報に基づいて、前記第１のストリームデータにコンテンツが格納されているか否かを判別する、ものを含む。
【００１７】
また、本発明の録画装置は、前記復調復号部により復号されたストリームデータを各種モノメディアデータに分離する多重化分離部と、前記多重化分離部によって分離されたモノメディアデータをデコードするデコード部を備え、前記受信状況検知部が、前記多重化分離部によって分離されたモノメディアデータを前記デコード部がデコードできない場合、前記第１のストリームデータにコンテンツが格納されていないと判別する、ものを含む。
【００１８】
この構成により、地上デジタルテレビジョン放送において階層伝送記述子を用いることなく、弱階層で放送されるエレメンタリーストリームの欠損部分を強階層で放送されるエレメンタリーストリームによって補完することができる。
【発明の効果】
【００１９】
本発明の録画装置、録画方法、プログラム、及びデータ構造によれば、地上デジタルテレビジョン放送において階層伝送記述子を用いることなく、弱階層で放送されるエレメンタリーストリームの欠損部分を強階層で放送されるエレメンタリーストリームによって補完することができる。
【発明を実施するための最良の形態】
【００２０】
以下、本発明の実施の形態の録画装置について説明する。まず、図１に示す、本発明の実施の形態の録画装置による録画処理の概要を説明する図を参照して、本発明の実施の形態の録画装置による、デジタルテレビジョン放送の録画処理の概要を説明する。
【００２１】
本発明の実施の形態の録画装置は、１２セグメントを利用して放送されるデジタルテレビジョン放送（以下、弱階層での放送と称する）と、１セグメントを利用して放送されるデジタルテレビジョン放送（以下、強階層での放送と称する）と、をそれぞれ受信することができるものとする。なお、弱階層での放送と強階層での放送とは、サイマル放送（異なる放送方式で同時刻に同コンテンツを配信する放送）であるものとする（なお、今後のデジタルテレビジョン放送では、弱階層での放送と強階層での放送とで同一のコンテンツを配信しないよう、例えば、強階層での放送を出力する場合にテロップの文字を大きくするよう、に運用されることも考えられる。このような場合も想定し、本明細書では、サイマル放送は、異なる放送方式で、同時刻に、視聴者が同一であると認識可能なコンテンツを配信する放送、と広い意味で定義する。）。また、本発明の実施の形態の録画装置は、受信した弱階層での放送または強階層での放送を復調してＴＳ（MPEG-2 Transport Stream）を生成し、必要に応じてデスクランブルして映像データ、音声データなどのエレメンタリーストリーム、及びＰＳＩ（Program Specfic Information：番組特定情報）、ＳＩ（Service Information：サービス特定情報）などのセクションデータを記憶する。
【００２２】
なお、以降の説明では、弱階層及び強階層の２階層によって運用されるデジタルテレビジョン放送を例に挙げて、本発明の実施の形態の録画装置による処理ついて説明するが、弱階層、中階層、及び強階層の３階層によって運用されるデジタルテレビジョン放送の場合であっても、その３階層のうちの少なくとも２つの階層を用いることによって、本発明の実施の形態の録画装置に適用することができる。また、弱階層、中階層、及び強階層の３階層のうち、弱階層と中階層には同一の変調方式が採用されていることがあるが、このように異なる階層に同一の変調方式が採用されている場合であっても、本発明の実施の形態の録画装置は、各階層に対して以降説明する処理を実施することができる。
【００２３】
図１では、本発明の実施の形態の録画装置は、弱階層での放送において、ＰＩＤ（Packet Identifier）「０ｘ０２」で識別されるＰＭＴを含む、ＰＳＩ／ＳＩの各セクションデータを伝送するＴＳパケット、及び、そのＰＭＴによって特定されるＰＩＤで識別されるＴＳパケット、を受信する。また、強階層での放送において、ＰＩＤ「０ｘ０２」で識別されるＰＭＴを含む、ＰＳＩ／ＳＩの各セクションデータを伝送するＴＳパケット、及び、そのＰＭＴによって特定されるＰＩＤで識別されるＴＳパケット、を受信する。録画装置は、弱階層での放送または強階層での放送いずれにおいても、まずＰＭＴを伝送するＴＳパケットであるＰＭＴを受信し、そのＰＭＴに記述されたＰＩＤによって指定されるＴＳパケットを分離して受信した後、そのＴＳに含まれる映像データ、音声データ、その他各種データによって形成されるエレメンタリーストリーム（図１では、弱階層での放送における映像データ、音声データ、その他各種データをそれぞれ、１２ｓｅｇ映像ＥＳ、１２ｓｅｇ音声ＥＳ、１２ｓｅｇデータＳｅｃｔｉｏｎと記載し、強階層での放送における映像データ、音声データ、その他各種データをそれぞれ、１ｓｅｇ映像ＥＳ、１ｓｅｇ音声ＥＳ、１ｓｅｇデータＳｅｃｔｉｏｎと記載している。）、及びＰＭＴ（図１では、弱階層での放送におけるＰＭＴを１２ｓｅｇＰＭＴ、強階層での放送におけるＰＭＴを１ｓｅｇＰＭＴ、と記載している。）をそれぞれ記憶する。
【００２４】
従来の録画装置は、弱階層での放送で伝送されたエレメンタリーストリーム（例えば、映像データ）を再生する場合には、記憶しておいた弱階層での放送におけるＰＭＴを参照して、記憶しておいたエレメンタリーストリームのうちの、ＰＩＤ「０ｘ００１０」によって識別されるエレメンタリーストリームを選択し、再生することになる。ここで、受信環境が悪い状態で弱階層での放送及び強階層での放送を受信していたとすると、伝送誤りに対する強さが弱い弱階層での放送からＴＳを生成することができない場合がある。この場合、録画装置は、ＴＳを生成できない状態で上記記憶処理を継続することになり、ＰＩＤ「０ｘ００１０」によって識別されるエレメンタリーストリーム（映像データ）に欠損がある状態でしか再生できないことになる。
【００２５】
このため、本発明の実施の形態の録画装置は、図１（ｂ）のように、弱階層での放送の受信状況が悪化している期間中、弱階層での放送におけるＰＭＴを次のように書き換える。すなわち、録画装置は、弱階層での放送におけるＰＭＴの構造のうちのＰＩＤ「０ｘ００１０」を、強階層での放送においてＴＳパケットを識別するＰＩＤ「０ｘ１ＦＣ８」へ書き換える。
【００２６】
これにより、本発明の実施の形態の録画装置は、弱階層での放送で伝送されたエレメンタリーストリームを再生する場合、地上デジタルテレビジョン放送において階層伝送記述子を用いることなく、書き換えておいたＰＭＴを参照して、受信状況が良好であった期間には弱階層での放送で伝送されたエレメンタリーストリームを、受信状況が悪化している期間には強階層での放送で伝送されたエレメンタリーストリームを、再生することができる。以下、本発明の実施の形態の録画装置の構成、および当該録画装置による処理について詳細に説明する。
【００２７】
図２に、本発明の実施の形態の録画装置の構成を示す。本発明の実施の形態の録画装置は、アンテナ２０１、チューナ部２０２、復調部２０３、多重化分離部２０５、受信状況検知部２０６、サイマルＥＳ検知部２０７、ＰＭＴ変換部２０８、データ記録部２０９、記録媒体２１０、タイマ部２１１、選局部２１２、を含んで構成される。
【００２８】
チューナ部２０２は、アンテナ２０１によって受信した放送信号のうち、選局部２１２からの制御信号によって指示された周波数帯の放送信号を抽出し、復調部２０３に出力する。
【００２９】
復調部２０３は、チューナ部２０２から入力した放送信号を復調してＴＳ（MPEG-2 Transport Stream）を生成し、多重化分離部２０５に出力する。
【００３０】
多重化分離部２０５は、復調部２０３から入力したＴＳから、ＰＳＩ／ＳＩやＤＳＭＣＣのセクションデータを分離して選局部２１２に出力し、選局部２１２からの制御信号によって指示されたＰＩＤが割り当てられたＴＳを抽出して映像データまたは音声データなどのエレメンタリーストリームを分離し、セクションデータ及びエレメンタリーストリームをデータ記録部２０９にそれぞれ出力する。多重化分離部２０５は、抽出したＴＳにスクランブルがかけられている場合には、必要に応じてデスクランブルを行い、映像データまたは音声データなどのエレメンタリーストリームを分離し、セクションデータ及びエレメンタリーストリームをデータ記録部２０９にそれぞれ出力する。
【００３１】
受信状況検知部２０６は、チューナ部２０２が抽出した放送信号の受信強度を監視しており、その受信強度の数値が閾値未満から閾値以上に変化した場合に選局部２１２に通知する。
【００３２】
サイマルＥＳ検知部２０７は、選局部２１２からセクションデータを入力し、そのセクションデータを基にサイマル放送の関係にある弱階層での放送と強階層での放送を特定し、弱階層での放送で伝送されるＰＭＴと強階層での放送で伝送されるＰＭＴとを選局部２１２に出力する。サイマルＥＳ検知部２０７による、サイマル放送の関係にある弱階層での放送と強階層での放送とを特定する処理については、後述する。
【００３３】
ＰＭＴ変換部２０８は、選局部２１２から、サイマル放送の関係にある弱階層での放送で伝送されるＰＭＴと強階層での放送で伝送されるＰＭＴとを入力し、弱階層での放送で伝送されるＰＭＴのうちのＥＳ関連の情報とバージョン情報とＣＲＣを書き換え、データ記録部に出力する。ＰＭＴ変換部２０８による、弱階層での放送で伝送されるＰＭＴの書き換え処理については、後述する。
【００３４】
データ記録部２０９は、多重化分離部２０５からセクションデータまたはエレメンタリーストリーム、または、ＰＭＴ変換部２０８からＰＭＴを入力すると、そのデータをＨＤＤ等の記録媒体２１０に記録させる。なお、データ記録部２０９は、多重化分離部２０５から入力したＴＳを記憶する場合は、ＰＭＴ変換部２０８から入力したＰＭＴの置換を行い記録媒体２１０に保存する。また、データ記録部２０９は、多重化分離部２０５から入力したエレメンタリーストリームを記憶する場合は、ＰＭＴ変換部２０８から入力したＰＭＴを元に保存するエレメンタリーストリームを決定し、記録媒体２１０に保存する。
【００３５】
タイマ部２１１は、セクションタイムアウトを検知するために、選局部２１２が多重化分離部２０５から前回セクションデータを入力した時点からカウントを開始し、そのカウントが所定時間を計時すれば、セクションタイムアウトしたものとして選局部２１２に通知する。
【００３６】
次に、本発明の実施の形態の録画装置による録画処理の流れについて、図３に示す、本発明の実施の形態の録画装置による録画処理時のフローチャートを参照して、説明する。
【００３７】
録画装置は、操作パネルなどによりある放送番組の録画を指示する録画操作を受け付ける、あるいは予め受け付けておいた録画操作により指定される時刻になると、その録画操作により指定された放送番組を選局する（ステップ３０１）。なお、録画操作により指定される放送番組は、弱階層での放送で伝送されている放送番組である。具体的には、選局部２１２が、録画操作の内容に基づいて放送信号を受信すべき周波数、及び弱階層での放送波を復調するためのパラメータをチューナ部２０２に指示すると、チューナ部２０２がその周波数の放送信号を受信し、復調部２０３がその放送信号を復調してＴＳを生成し、多重化分離部２０５が必要に応じてそのＴＳに施されたスクランブルを解除して生成したＴＳから、ＰＳＩ／ＳＩやＤＳＭＣＣのセクションデータを分離して選局部２１２に出力する。選局部２１２が、セクションデータと上記録画操作の内容に基づいて、抽出すべきＴＳを特定するＰＩＤを多重化分離部２０５に指示すると、多重化分離部２０５が、そのＰＩＤが割り当てられたＴＳパケットを抽出し、そのＴＳパケットに含まれるエレメンタリーストリームをデータ記録部２０９にそれぞれ出力する。
【００３８】
録画装置は、弱階層での放送からＰＳＩ／ＳＩやＤＳＭＣＣのセクションデータを抽出すると、そのセクションデータを基に、ステップ３０１で選局した弱階層での放送で伝送されている放送番組に対応する、強階層での放送で伝送されている放送番組を検知する（ステップ３０２）。ステップ３０２の処理についての詳細は、図４に示す、本発明の実施の形態の録画装置によるサイマルＥＳ検知時のフローチャートを参照して説明する。
【００３９】
選局部２１２は、多重化分離部２０５からセクションデータを入力すると、そのセクションデータに含まれるＰＭＴを抽出するとともに（ステップ４０１）、当該セクションデータに含まれるＥＩＴ（Event Information Table）を抽出し（ステップ４０２）、サイマルＥＳ検知部２０７に出力する。ＥＩＴは、ある周波数帯（１３セグメントによって構成される周波数帯）で放送される放送番組についての、番組名、放送日時、番組内容等、番組に関する情報が記述されている。ＥＩＴには、Ｈ−ＥＩＴ、Ｍ−ＥＩＴ、Ｌ−ＥＩＴがあり、Ｈ−ＥＩＴは弱階層での放送で伝送されている番組に関する情報、Ｍ−ＥＩＴは中階層での放送で伝送されている番組に関する情報、Ｌ−ＥＩＴは強階層での放送で伝送されている番組に関する情報、がそれぞれ記述されている。１３セグメントによって構成される周波数帯において、複数の階層での放送が実施されている場合、例えば３つの階層での放送が実施されている場合、各階層での放送においてＨ−ＥＩＴ、Ｍ−ＥＩＴ、Ｌ−ＥＩＴが別々のＴＳパケット（Ｈ−ＥＩＴのＰＩＤは「０ｘ００１２」、Ｍ−ＥＩＴのＰＩＤは「０ｘ００２６」、Ｌ−ＥＩＴのＰＩＤは「０ｘ００２７」）によって伝送されている。
【００４０】
サイマルＥＳ検知部２０７は、弱階層での放送を選局している選局部２１２からＥＩＴを入力すると、Ｍ−ＥＩＴまたはＬ−ＥＩＴの有無、及び、Ｍ−ＥＩＴまたはＬ−ＥＩＴが有る場合にそれに記述されている番組情報がＨ−ＥＩＴに記述されている番組情報と一致するか（例えば、番組名が一致するか）、を判別することによって（ステップ４０３）、同周波数帯においてサイマル放送の関係にある中階層または強階層での放送が実施されているか否かを判別する。サイマルＥＳ検知部２０７は、Ｍ−ＥＩＴまたはＬ−ＥＩＴに記述されている番組情報がＨ−ＥＩＴに記述されている番組情報と一致していると判別すれば（ステップ４０３、Ｙ）、選局部２１２にサイマル放送の関係にある階層を通知する。一方、ステップ４０３の処理において、サイマルＥＳ検知部２０７は、Ｍ−ＥＩＴまたはＬ−ＥＩＴに記述されている番組情報がＨ−ＥＩＴに記述されている番組情報と一致しないと判別した場合（ステップ４０３、Ｎ）、プライマリーサービスのＰＭＴを取得する旨を通知する。
【００４１】
選局部２１２は、サイマルＥＳ検知部２０７からサイマル放送の関係にある階層を通知されると、その階層での放送波を復調するためのパラメータをチューナ部２０２に指示し、その結果、当該階層での放送において伝送されているセクションデータを多重化分離部２０５から入力する。選局部２１２は、当該階層での放送において伝送されているセクションデータのうちのＰＭＴを抽出し（ステップ４０４）、先に抽出しておいたＰＭＴ（弱階層での放送において伝送されているＰＭＴ）と今回抽出したＰＭＴ（弱階層以下の階層での放送において伝送されているＰＭＴ）とを対応付けて（ステップ４０５）、ＰＭＴ変換部２０８に出力する。また、選局部２１２は、サイマルＥＳ検知部２０７からプライマリーサービスのＰＭＴを取得する旨を通知されると、強階層での放送波を復調するためのパラメータをチューナ部２０２に指示し、その結果、強階層での放送において伝送されているセクションデータを多重化分離部２０５から入力する。選局部２１２は、強階層での放送において伝送されているプライマリーサービスのＰＭＴを抽出し（ステップ４０６）、先に抽出しておいたＰＭＴ（弱階層での放送において伝送されているＰＭＴ）と今回抽出したＰＭＴ（強階層での階層での放送において伝送されているプライマリーサービスのＰＭＴ）とを対応付けて（ステップ４０５）、ＰＭＴ変換部２０８に出力する。本発明の実施の形態の録画装置は、図４のフローチャートを参照して説明した以上のサイマルＥＳ検知処理を実行する。
【００４２】
録画装置は、弱階層での放送で伝送されている放送番組の受信を開始すると、受信状況検知部２０６が、チューナ部２０２によってＲＦの同期がとれるか否か、または、チューナ部２０２から出力される、Ｃ／Ｎ値またはＢＥＲなどの受信強度を示すパラメータがある閾値以上か否かに応じて、受信状態が良好か悪化しているかを判別する（ステップ３０３）。選局部２１２は、受信状況検知部２０６によって受信状態が悪化していると通知されれば（ステップ３０３、Ｙ）、弱階層での放送で伝送されるＰＭＴの書き換え処理をＰＭＴ変換部２０８に指示する。
【００４３】
また、選局部２１２は、弱階層での放送で伝送されたＰＭＴを多重化分離部２０５から前回入力した時点から、所定時間を計時したことをタイマ部２１１から通知されると（ステップ３０４、Ｙ）、弱階層での放送で伝送されるＰＭＴの書き換え処理をＰＭＴ変換部２０８に指示する。一方、弱階層での放送で伝送されたＰＭＴを多重化分離部２０５から前回入力した時点から所定時間を計時する前に（ステップ３０４、Ｎ）、弱階層での放送で伝送されたＰＭＴを多重化分離部２０５から再度入力した場合、そのＰＭＴのバージョン（選局部２１２は、ＰＭＴに記述されているversion_numberによって、ＰＭＴのバージョンを識別できる。）が新しくなっていれば、ステップ３０２からステップ３０４の処理を繰り返す。
【００４４】
また、選局部２１２は、多重化分離部２０５から入力したエレメンタリーストリームにデータが格納されているか否か（選局部２１２は、エレメンタリーストリームにＮＵＬＬが格納されていれば、データが格納されていないと判別する。）や、当該エレメンタリーストリームがデコードできるものであるか否かを、判別する（ステップ３０６）。選局部２１２は、エレメンタリーストリームにデータが格納されていない、または、当該エレメンタリーストリームがデコードできるものでないと判別した場合（ステップ３０６、Ｙ）、弱階層での放送で伝送されるＰＭＴの書き換え処理をＰＭＴ変換部２０８に指示する。
【００４５】
続いて、ＰＭＴ変換部２０８による、弱階層での放送で伝送されるＰＭＴの書き換え処理について、図５に示す、ＰＭＴのデータ構造、及び、図６に示す、本発明の実施の形態の録画装置によるＰＭＴの書き換え時のフローチャート、を参照して説明する。
【００４６】
ＰＭＴ変換部２０８は、選局部２１２から弱階層での放送で伝送されるＰＭＴの書き換え処理の実行を指示されると、その指示とともに通知される弱階層での放送波の受信強度に応じて、ＰＭＴにおける第１ループ（すなわち、図５に示すＰＭＴのデータ構造における、最初の繰り返し記述部分。）以降のデータを変換するか、ＰＭＴにおける第２ループ（すなわち、図５に示すＰＭＴのデータ構造における、第１ループの中の最初の繰り返し記述部分。）以降のデータを変換するか、を選択する（ステップ６０１）。
【００４７】
ＰＭＴ変換部２０８は、ＰＭＴにおける第１ループを変換することを選択すると（ステップ６０１、Ｙ）、弱階層での放送において伝送されているＰＭＴにおける第１ループのデータを強階層での階層での放送において伝送されているＰＭＴにおける第１ループのデータに変換する（ステップ６０２）。一方、ＰＭＴ変換部２０８は、ＰＭＴにおける第２ループを変換することを選択すると（ステップ６０１、Ｎ）、最初の第２ループ（ｆｏｒ文の変数ｉがｉ＝０の場合の第２ループ）の記述を読み取り（ステップ６０３）、その読み取った第２ループのelementary_PIDにより特定されるエレメンタリーストリームが再生可能であるかを判断する（例えば、当該エレメンタリーストリームをデコードできるか否かによって判断する。ステップ６０４）。ＰＭＴ変換部２０８は、再生可能でないと判断した場合には（ステップ６０４、Ｎ）、該当する第２ループの記述を、強階層での放送において伝送されているＰＭＴの第２ループ（ｆｏｒ文の変数ｉがｉ＝０の場合の第２ループ）の記述に置き換える（ステップ６０５）。
【００４８】
ステップ６０５の処理によって、弱階層での放送において伝送されているＰＭＴの第２ループを置き換えた場合、強階層での放送において伝送されているＰＭＴの第１ループに記載されているコピー制御情報などの記述子情報が、単純なループの置換だと省略されてしまうおそれがある。このため、次に説明するステップ６０６の処理によって、強階層での放送において伝送されているＰＭＴを解析し、必要な記述子を強階層での放送において伝送されているＰＭＴに追加する処理を行う。図７に、本発明の実施の形態の録画装置によるＰＭＴの第２ループ記述子変換時のフローチャートを示す。
【００４９】
ＰＭＴ変換部２０８は、強階層での放送において伝送されるＰＭＴの第１ループに記載された記述子情報を取得した後（ステップ７０１）、強階層での放送によって伝送されるＰＭＴの第１ループに記載された記述子情報に第２ループの記述子情報を追加する。同一種別の記述子がある場合は第１ループの記述子を削除し、第二ループの記述子のみを保存する（ステップ７０２）。
【００５０】
ＰＭＴ変換部２０８は、上記で取得した記述子すべてに対して、現在置換されている記述子と相違がない各記述子を調査し（ステップ７０３）、相違がなければＰＭＴの第２ループ記述子変換を終了する。一方、現在置換されている記述子と相違があれば、調査する記述子を次の記述子に変更し（ステップ７０４）、第２ループ中の該当エレメンタリーストリームのループにすでに調査中の記述子と同一の記述子が記載されているか否かを判断する（ステップ７０５）。ＰＭＴ変換部２０８は、同一の記述子が記載されていれば、弱階層での放送において伝送されているＰＭＴの第１ループに同一の記述子が記載されていない、あるいは当該第１ループに異なる情報で同一の記述子が記載されているかを、判断する（ステップ７０６）。ＰＭＴ変換部２０８は、同一の記述子が記載されていなければ、第２ループ中の該当エレメンタリーストリームのループ調査中の記述子を追加する（ステップ７０７）。本発明の実施の形態の録画装置は、図７のフローチャートを参照して説明した以上の第２ループ記述子変換処理を実行する。
【００５１】
その後、ＰＭＴ変換部２０８は、全ての第２ループ（ｆｏｒ文の変数ｉがｉ＝０からｉ＝Ｎ−１までの第２ループ）の記述を読み取ったか否かを判別し（ステップ６０７）、読み取っていなければ、次の第２ループの記述を読み取り（ステップ８）、上述したステップ６０４からステップ６０８の処理を繰り返す。ＰＭＴ変換部２０８は、全ての第２ループ（ｆｏｒ文の変数ｉがｉ＝０からｉ＝Ｎ−１までの第２ループ）の記述を読み取ったと判別すれば（ステップ６０７、Ｙ）、映像データまたは音声データのエレメンタリーストリームのＰＩＤが置き換えられたか否かを判別する処理に移行する（ステップ６０９）。
【００５２】
ＰＭＴ変換部２０８は、映像データまたは音声データのエレメンタリーストリームのＰＩＤが置き換えられていれば（ステップ６０９、Ｙ）、弱階層での放送において伝送されているＰＭＴのPCR_PIDを強階層での放送において伝送されているＰＭＴのPCR_PIDに変更する（ステップ６１０）。
【００５３】
また、ＰＭＴ変換部２０８は、映像データまたは音声データのエレメンタリーストリームのＰＩＤが置き換えられていても、いなくても、弱階層での放送において伝送されているＰＭＴのバージョンを示すversion_numberを更新し（ステップ６１１）、さらに、CRC演算を行ってその演算値でCRC_32を更新する（ステップ６１２）。
【００５４】
以上、本発明の実施の形態の録画装置は、弱階層での放送における受信状況が悪化している期間には、地上デジタルテレビジョン放送において階層伝送記述子を用いることなく、弱階層での放送におけるＰＭＴの記述を強階層での放送におけるＰＭＴの記述に置き換える。これにより、弱階層での放送で伝送されたエレメンタリーストリームを再生する場合、地上デジタルテレビジョン放送において階層伝送記述子を用いることなく、書き換えておいたＰＭＴを参照して、受信状況が良好であった期間には弱階層での放送で伝送されたエレメンタリーストリームを、受信状況が悪化している期間には強階層での放送で伝送されたエレメンタリーストリームを、再生することができる。
【００５５】
これまで説明した本発明の実施の形態の録画装置は、弱階層での放送を受信中に、弱階層での放送において伝送されているＰＭＴを書き換えるものであった。別の手法としては、一旦弱階層での放送をＰＭＴを書き換えずに録画しておき、その後、その録画しておいた弱階層での放送を再生する前までにそのＰＭＴを書き換える手法が考えられる。上述の図４のフローチャートでは、選局部２１２は、多重化分離部２０５から弱階層での放送および強階層での放送でそれぞれ伝送されているセクションデータを入力し、サイマルＥＳ検知部２０７からサイマル関係にある階層を通知されることを説明したが、上記別の手法を実現するためには、選局部２１２が、記憶媒体２１０に記憶された弱階層での放送および強階層での放送でそれぞれ伝送されているセクションデータを入力する構成にすればよい。この構成であれば、デジタルテレビジョン放送を録画するために録画装置が受信しなくても、他の電子機器との間でデータの交換を実現するための手段（例えば、メモリカードなどの記録媒体からデータを読み取るためのインタフェース、他の電子機器と通信を行う通信インタフェース、インターネット網に接続するための通信インタフェース）を介して取得したデジタルテレビジョン放送のデータに対しても、弱階層で放送されるエレメンタリーストリームの欠損部分を強階層で放送されるエレメンタリーストリームによって補完することができる
【産業上の利用可能性】
【００５６】
本発明の録画装置、録画方法、プログラム、及びデータ構造によれば、地上デジタルテレビジョン放送において階層伝送記述子を用いることなく、弱階層で放送されるエレメンタリーストリームの欠損部分を強階層で放送されるエレメンタリーストリームによって補完することができるという効果を奏し、デジタルテレビジョン放送を記録可能な録画装置に関する分野において有用である。
【図面の簡単な説明】
【００５７】
【図１】本発明の実施の形態の録画装置による録画処理の概要を説明する図
【図２】本発明の実施の形態の録画装置の構成
【図３】本発明の実施の形態の録画装置による録画処理時のフローチャート
【図４】本発明の実施の形態の録画装置によるサイマルＥＳ検知時のフローチャート
【図５】ＰＭＴのデータ構造
【図６】本発明の実施の形態の録画装置によるＰＭＴの書き換え時のフローチャート
【図７】本発明の実施の形態の録画装置によるＰＭＴの第２ループ記述子変換時のフローチャート
【符号の説明】
【００５８】
２０１  アンテナ
２０２  チューナ部
２０３  復調部
２０５  多重化分離部
２０６  受信状況検知部
２０７  サイマルＥＳ検知部
２０８  ＰＭＴ変換部
２０９  データ記録部
２１０  記録媒体
２１１  タイマ部
２１２  選局部
【図１】
0004786619.tif 000002
【図２】
0004786619.tif 000003
【図３】
0004786619.tif 000004
【図４】
0004786619.tif 000005
【図５】
0004786619.tif 000006
【図６】
0004786619.tif 000007
【図７】
0004786619.tif 000008